Podtech/llm-jp-corpus-v4-ja_patent huggingface dataset:
(57)【要約】【課題】本発明は、ごろ寝や就寝時に体幹緩め当て具を、ゴムまたは布からなる腹に巻く横長状の帯状体や腹巻きに装着させ、両側脇腹の起立筋部に当てがい、自己の体重で脊柱起立筋群及び腹部の筋への指圧的押圧を行い、筋の緩解と胸郭の歪み防止、及び脊柱の湾曲を防止する体幹緩め当て具を提供する。【解決手段】  巾着内袋を設けた腹巻きや、腹に巻く横長状の帯状体に体幹緩め当て具を入れ、脊柱起立筋群を含めた両側脇腹に包み込むように当てがい、横臥の時に体重で起立筋側腹部と腹部の筋に指圧的刺激を与えることで、起立筋および腹部の筋が緩み、横臥の時だけ支点となる体幹緩め当て具が肋骨下部を浮かすことで胸郭の歪みを防ぎ、呼吸を楽にさせ、脊柱を真直ぐに保つことを特徴とする体幹緩め当て具。【選択図】図１
2007236896.tif 000002
【特許請求の範囲】
【請求項１】
巾着内袋を設けた腹巻きや、腹に巻く横長状の帯状体に体幹緩め当て具を入れ、脊柱起立筋群を含めた両側脇腹に包み込むように当てがい、横臥の時に体重で起立筋側腹部と腹部の筋に指圧的刺激を与えることで、起立筋および腹部の筋が緩み、横臥の時だけ支点となる体幹緩め当て具が肋骨下部を浮かすことで胸郭の歪みを防ぎ、呼吸を楽にさせ、脊柱を真直ぐに保つことが出来ることを特徴とする体幹緩め当て具である。
【発明の詳細な説明】
【技術分野】
【０００１】  本発明は、ごろ寝や就寝時に体幹緩め当て具を、ゴムまたは布からなる腹に巻く横長状の帯状体や腹巻きに装着させ、両側脇腹の起立筋部に当てがい、自己の体重で脊柱起立筋群及び腹部の筋への指圧的押圧を行い、筋の緩解と胸郭の歪み防止、及び脊柱の湾曲を防止することに関するものである。
【背景技術】
【０００２】  従来の腹に巻くものは、腹巻であれば腹部の保温や血行促進の為に重点が置かれ、布バンドやゴムバンドは浅層筋を押さえる事で深筋の安定を図るものである。
【発明の開示】
【発明が解決しようとする課題】
【０００３】（イ）要である腰の筋群は、前後左右の屈曲に対して緩みがなくてはならないが、日常的に使われる動作は、前屈、後屈が主で横の屈曲がなく、刺激も与えられず過敏になり硬さを助長させ腰痛などを招いている。
（ロ）横臥時は、熟睡と共にうつ伏せに近い状態になり、肋骨を圧迫させ胸郭を歪めることで背痛や呼吸を浅くさせ息苦しさを助長させている。
（ハ）横臥時は腰椎が下垂し、偏った横臥は脊柱や骨盤を歪めている。
（ニ）硬くなりがちな腹部の筋への刺激が疎かになり、硬さを増し背筋が伸びず猫背になり、また腰痛の要因にもなっている。
本発明は、以上の問題点を解決するためになされたものである。
【課題を解決するための手段】
【０００４】  巾着内袋を設けた腹巻きや、腹に巻く横長状の帯状体に体幹緩め当て具を入れ、脊柱起立筋群を含めた両側脇腹に包み込むように当てがい、横臥の時に体重で起立筋側腹部と腹部の筋に指圧的刺激を与えることで、起立筋および腹部の筋が緩み、横臥の時だけ支点となる体幹緩め当て具が肋骨下部を浮かすことで胸郭の歪みを防ぎ、呼吸を楽にさせ、脊柱を真直ぐに保つことが出来る。  以上を特徴とする体幹緩め具である。
【発明の効果】
【０００５】（イ）、加齢と共に硬くなりがちな腰部の起立筋群に対し、就寝やごろ寝の時に寝返りをうちながら筋のストレッチが出来、筋の緩みを得る。
（ロ）、体幹緩め当て具をバナナ状の丸みを持たせる事で寝返りを楽にさせる。
（ハ）、横臥の時だけ、体幹緩め当て具が支点になり脊柱を真直ぐに保て、肋骨下部が浮くことで、胸郭は圧迫されず歪みからの痛みの防止や呼吸が楽になる。
（ニ）、仰臥時には作用しないので、体に負担がかからない。
（ホ）、布・ゴムバンド、腹巻き等、腹に巻くものなら何でも装着できる。
【発明を実施するための最良の形態】
【０００６】  以下、本発明の実施の形態について説明する。
（イ）、弾力性を有する発泡スチロール材等からなる体幹緩め当て具（１）は、バナナ状の形状とし、両端は弓なりに上方に反らせ、個々の体型に合わせる為、体幹緩め当て具（１）の背面に厚みを有した方形状の厚み調整板（２）を着脱可能に数枚重ねて設ける。
（ロ）、伸縮性のゴムまたは布からなる横長状の帯状体（３）の内側に一方を開口して開閉自在とする巾着内袋（４）を並列して複数個設ける。
（ハ）、帯状体（３）の一端に面ファスナー雄片（５ａ）を設け、他端の反対面と巾着内袋を取り付けるための帯状体内側両側に面ファスナー雌片（５ｂ）を設ける。
（ニ）、巾着内袋（４）に体幹緩め当て具（１）を挿入自在とし、巾着内袋の開口部を紐（６）で締めて閉じ、体幹緩め当て具が出ないようにする。
（ホ）、帯状体（３）の巾着内袋（４）が内側になるように身体の胴部に巻き付けて、面ファスナーで固定し装着する。
本発明は以上のような構造で、これを使用するときは、帯状体（３）の巾着内袋（４）に体幹緩め当て具（１）を挿入して、体型に合わせ厚み調整板（２）で適度の押圧に調整し、帯状体（３）内側の面ファスナー雌片（５ｂ）に装着する。
体幹緩み当て具（１）の一端を、脇腹の脊柱起立筋群にあてがい、他の一端を腹部に当たる様にして、帯状体（３）を面ファスナーで固定して、枕（７）を使い、仰臥では作用せず横臥にて作用するように注意して使用する。
【図面の簡単な説明】
【０００７】
【図１】本発明の要部の分離斜視図
【図２】本発明の斜視図
【図３】本発明の一部を切り欠いた要部の斜視図
【図４】本発明の要部の背面斜視図
【図５】本発明の使用状態を示す斜視図
【符号の説明】
【０００８】１    体幹緩め当て具
２    厚み調整板
３    帯状体
４    巾着内袋
５ａ  面ファスナー雄片
５ｂ  面ファスナー雌片
６    紐
７    枕
【図１】
2007236896.tif 000003
【図２】
2007236896.tif 000004
【図３】
2007236896.tif 000005
【図４】
2007236896.tif 000006
【図５】
2007236896.tif 000007
(57)【要約】【課題】円筒に釣り糸を取り付けた調理道具を提供する。【解決手段】円筒の片側最外側部に釣り糸を５ｍｍ幅の格子状に張る様に設け、釣り糸を刃の代わりにして、山芋を短冊状に押し切る事が出来る様にした調理道具。【選択図】図１
2007236895.tif 000002
【特許請求の範囲】
【請求項１】
円筒の片側最外側部に釣り糸を５ｍｍ幅の格子状に張る様に設け、釣り糸を刃の代わりにして、山芋を短冊状に押し切る事が出来る様にした調理道具。
【発明の詳細な説明】
【技術分野】
【０００１】  本発明は、円筒の片側最外側部に釣り糸を５ｍｍ幅の格子状に張る様に設け、釣り糸を刃の代わりにして山芋を短冊状に押し切る事が出来る調理道具に関するものである。
【背景技術】
【０００２】  従来、山芋を短冊状に切るには包丁で切っていた、叉はスライサーで切っていた。
【発明の開示】
【発明が解決しようとする課題】
【０００３】  そのために次の様な問題点があった。
（イ）山芋にヌメリが有るので指先が滑って包丁で手を切る危険があった。
（ロ）山芋にヌメリが有るので指先や山芋が滑って短冊を均一に切るのが難しかった。
（ハ）スライサーで切る時もヌメリにより滑りやすいので指先を傷つける危険があった。
（二）包丁やスライサーを洗浄する時、ヌメリがなかなか取れず大変だった。
（ホ）調理するのに時間がかかった。
本発明は、これらの問題点を解決するためになされたものである。
【課題を解決するための手段】
【０００４】  円筒の片側最外側部に釣り糸を５ｍｍ幅の格子状に張る様に設ける。以上を特徴とする調理道具である。
【発明の効果】
【０００５】  円筒に張られた釣り糸の部分を下に持ち、まな板に垂直に置かれた山芋（長さ５ｃｍ）に上から垂直に押し付ける、釣り糸が刃の代わりになり安全に均一な山芋の短冊が出来上がる。洗浄する時も釣り糸を刃の代わりにしているので、指が当たっても指先が傷つく事も無く、構造が単純なので洗浄も簡単である。
【発明を実施するための最良の形態】
【０００６】以下、本発明の実施の形態について説明する。
（イ）円筒（１）の片側最外側部に５ｍｍ幅の格子状の釣り糸（２）を設ける。
本発明は以上の様な構成で、これを使用する時は、格子状の釣り糸（２）部が下になる様に円筒（１）を持ち、５ｃｍ程に切った山芋をまな板の上に置き、山芋の真上から垂直に円筒（１）を押し当てて行く、山芋は格子状の釣り糸（２）が刃の代わりになり短冊状に切り分けられる。
【図面の簡単な説明】
【０００７】
【図１】本発明の斜視図
【図２】本発明の正面図
【符号の説明】
【０００８】１    円筒
２    釣り糸
【図１】
2007236895.tif 000003
【図２】
2007236895.tif 000004
(57)【要約】【課題】  従来の構造では、シリンジ交換等に伴う押子鍔の厚さの違いにより、確実な押子装着検知をするためには、可動ストロークの長い押子検知素子を必要としていた。また、押子装着時に送液方向のガタがあり送液精度に悪影響を及ぼしていた。【解決手段】  本発明の構造では、シリンジ交換等に伴う押子鍔の厚さに関わらず、押子とスライダーを密着させ、可動ストロークの短い押子検知素子でも確実に押子装着の検知できるようにし、尚且つ送液精度の向上も可能となった。【選択図】        図２
2007236858.tif 000002
【特許請求の範囲】
【請求項１】
移動自在の押子を有し筐体に保持されるシリンジと、原動機で駆動される送りネジと、該送りネジに係合して直動可能なスライダーと、を備え、該スライダーにより前記押子を押圧することで薬液等を送出するように構成される輸液装置において、スライダーの押子装着面に、スライダーの移動方向に偏移可能な押子検知手段が付加併設されると共に、前記スライダーの押子装着面に対向して、装着される押子の鍔を挟持・押圧するための押子抑え部材が配置されていること、を特徴とする輸液装置。
【請求項２】
前記押子抑え部材は、弾性体で形成され可撓性を備えることで、押子の鍔と押子検知手段とを常時圧接して該押子検知手段を偏移せしめ、押子の鍔とスライダーの押子装着面との当接を維持可能なように構成されていること、を特徴とする請求項１に記載の輸液装置。
【発明の詳細な説明】
【技術分野】
【０００１】
本発明は、輸液装置、特に輸液装置を形成するシリンジの押子保持部の改良に関する。
【背景技術】
【０００２】
輸液装置の全体像は、周知のものであるので図示を省略するが、従来から原動機で駆動される送りネジを有し、該送りネジに係合する直線運動可能なスライダー１によりシリンジ２の押子２−１を押圧し液体を送出する構成の輸液装置では、多くの改良技術が提案されている。引用する特許文献もその一例で、詳細も夫々の公報に譲り省略することとし、図３は、実用に供されている押子検知手段３が搭載されていない例の斜視図である。押子２−１の先端部に位置する鍔２−１１が、スライダー１の押子保持部の隙間１−１２に収まるように、上方から挿入・装着される。
【０００３】
図４は、押子検知手段３が搭載されている押子保持部１−１の構成の一例を示す斜視図（ａ）
と断面図（ｂ）である。押子の鍔２−１１がスライダー１の押子保持部の隙間１−１２に収まるように上方から挿入・装着され、鍔２−１１を押子検出手段３に当接することで押子２−１の装着が検知されるが、構造体で形成されていることから、押子保持部の隙間１−１２は固定で、押子保持部の隙間１−１２と押子の鍔２−１１の厚みが異なるケースでは、両者の間のギャップを回避すべくもなかった。
【０００４】
【特許文献１】（特開平１０−１９２３９７号公報）
【特許文献２】（特開平１０−１９２３９８号公報）
【発明の開示】
【発明が解決しようとする課題】
【０００５】
上述の如く従来の構成では、スライダー１に押子検知手段３を付設する場合、押子保持部の隙間１−１２が固定であるため、例えば、使用されるシリンジ２のサイズを変更する際に、押子の鍔２−１１の厚みが変わるため、確実な押子２−１の装着検知のためには、可動ストロークの大きな押子検知手段３を必要とし、スライダー１の大型化に繋がっていた。
【０００６】
また、押子保持部の隙間１−１２と、押子の鍔２−１１の厚みとの差によるギャップの存在が、液体の送出精度に大きく影響を及ぼしていた。
【課題を解決するための手段】
【０００７】
本発明においては、スライダーの押子装着面１−１１に、スライダー１の移動方向に偏移可能な押子検知手段３が付加併設されると共に、前記スライダーの押子装着面１−１１に対向して、装着される押子の鍔２−１１を挟持するための押子抑え４が配置され、好ましくは、前記押子抑え４は、押子検知手段３との常時圧接を維持するため、弾性体で形成されて可撓性を備えるように構成されている。
【発明の効果】
【０００８】
本発明は、ストロークの短い押子検知手段の採用が可能であり、スライダーの大型化を回避できるばかりでなく、押子保持部の隙間と押子の鍔とのギャップ排除により、シリンジ内部の、陰圧及び陽圧発生時の液体送出精度確保にも大きな効果を発揮できる。
【発明を実施するための最良の形態】
【０００９】
以下図によって本発明の実施例を説明する。
【実施例】
【００１０】
図１は、本発明に成るスライダー１での、押子検知手段３と押子抑え４に係る構造の分解斜視図である。図２は図１の例の断面図で、押子２−１の挿入前の状態（ａ）と挿入した状態（ｂ）を示す。スライダー1にスイッチ３−４が基板を介して配置され、該スイッチ３−４の作動に係るドグ3−３は、ボタン３−１に拡張ばね３−２を介し連係し、押子抑え４はスライダー１に、例えば固定ネジ５で固定される。
【００１１】
押子２−１の端部をスライダー１と押子抑え４の間に上方から挿入・装着すると、押子検知手段３の、押子２−１との当接面となるボタン３−１は、押子２−１の挿入により、拡張ばね３−２を圧縮しながらスライダー１の押子装着面１−１１に接近するよう移動し、ボタン３−１に連結されているドグ３−３も移動し、スイッチ３−４を作動する。押子抑え４は、十分な弾性力により押子２−１をスライダーの押子装着面１−１１に押圧することで、押子２−１とスライダー１とを密着状態に保持することになる。
【産業上の利用可能性】
【００１２】
本発明に成る輸液装置は、シリンジのサイズ変更に確実に対応可能なストロークの小さな押子検知手段の採用による小型化を実現するだけでなく、押子とスライダーとの密着状態を確実に維持することでの輸液の送出精度向上に有効で、利用範囲の拡充を実現できる。
【図面の簡単な説明】
【００１３】
【図１】本発明に成る輸液装置に搭載される押子検知手段と押子抑えに係る構造の分解斜視図である。
【図２】図１の例の断面図で、押子２−１の挿入前の状態（ａ）と挿入した状態（ｂ）を示す。
【図３】周知実用に供されている押子検知手段が搭載されていない例の斜視図である。
【図４】周知実用に供されている押子検知手段が搭載されている押子保持部１−１の構成の一例を示す斜視図（ａ）と、押子２−１の挿入前の状態（ｂ）及び挿入した状態（ｃ）を示す断面図である。
【符号の説明】
【００１４】
１        スライダー
１−１    押子を装着する保持部
１−１１  押子装着面
１−１２  押子保持部の隙間
２        シリンジ
２−１    押子
２−１１  押子の鍔
３        押子検知手段
３−１    ボタン
３−２    拡張ばね
３−３    ドグ
３−４    スイッチ
４        押子抑え
５        固定ネジ
【図１】
2007236858.tif 000003
【図２】
2007236858.tif 000004
【図３】
2007236858.tif 000005
【図４】
2007236858.tif 000006
(57)【要約】【課題】一般的に小型携帯機器類の携帯保持具は個々の製品に対して各メーカーが簡単な携帯ケースをサービスの範囲で製品梱包に同封する程度の対応であり、帯同に伴う携帯機器の安全、損傷防止、遺失事故、等の問題は、携帯機器の利用者のリスクに依存しているのが現状である。【解決手段】斯かる条件から、本発明による小型携帯機器類の懸架着脱操作の簡便性、並びに、懸架状態の維持と安全性を保障する機構構造により、多様な携帯機器や用品等に対する汎用性を満足させる懸架装置を提供するものである。【選択図】図１
2007236876.tif 000002
【特許請求の範囲】
【請求項１】
懸架フックを装備する構造体と該懸架フックを貫通交差させる切欠部構造を持つ構造体を蝶番機能により連結して構成する機構構造により衣類等に用いるベルト等を挟持する機能を構成し、該懸架フックに懸架する携帯物による該ベルト挟持機構の閉鎖状態を維持する機能を構成し、且つ、該懸架フックに懸架された携帯物の該フック開口部よりの逸脱を阻止する該フックと交差する機構構造と一体機構構造により構成する該フック開放部を閉鎖するフラップ構造を、該蝶番機構に併設して構成する手持小物機器等携帯品等の懸架装置。
【請求項２】
請求項１に述べる該懸架物の該フックからの逸脱を防止するフック開放部フック先端の被閉機構構造と該フックと該フラップの交差機構構造。
【請求項３】
請求項１に述べるベルト等を挟持する機能構造に於けるハンガーフックに携帯用品等を懸架する事によりベルト等を挟持する該機構の開放を阻止する機能構造。
【発明の詳細な説明】
【技術分野】
【０００１】  本発明は、着衣保持に供されるベルト等、以下、ベルトと呼ぶ、に装着し携帯品を懸架保持する携帯品懸架装置に関する。
【背景技術】
【０００２】  携帯電子機器、小型カメラ、小物道具、等、以下携帯機器等と総称する、の携帯時の紛失や遺失等を防止する為、先端にフックを装着した紐や、鎖、等により連結保持する方法や、バッグに収納し必要に応じ携帯品を取り出す等の方法が取られている。【０００３】  しかし、現存する機構構造の小物懸架装置は、懸架、又は、連結状態の不安定性から該懸架物の落下に因る携帯品の遺失、損傷、並びに、破損を完全に防止できる安定した懸架状態の維持、使用時の懸架物の着脱の簡便性、並びに、懸架状態の常時体感確認性、等、総合的な機能を満足させる機能構造を具備していない事により落下に因る紛失事故が発生している。
【発明の開示】
【発明が解決しようとする課題】
【０００４】  発明が解決しようとする課題は、携帯物懸架装置、並びに、携帯物使用時の使用者自身の単純操作に依る着脱性を満足させる機構構造の具備と、懸架物自体の安全且つ安定した懸架状態の維持状態の維持機能を保証すると共に、使用者本人の意思による懸架物の着脱行動に対する簡便性を兼備する機能と構造を具現化する事にある。【０００５】  又、前述の懸架装置自体の容易な着脱性に加えて懸架物の懸架状態に於ける該装置自体の装着状態の非人為的な解除の防止条件を満足する機能構造を兼備した機構構造を提供する事にある。
【課題を解決する為の手段】
【０００６】  本発明は、課題に述べた問題点を解決する手段として装置自体の着脱性の抜本的向上、並びに、被懸架機器類の人為的な着脱操作外に於ける懸架装置からの被懸架物の離脱を許容しない装置を装備し、且つ、操作の単純化と装置の廉価を満足させ、加えて、該装置の対人障害防止に関する信頼性を満足させるものである。
【０００７】  本携帯機器等の懸架装置は、本装置自体のベルトへの着脱性を満足する機構構造として図１に示す懸架フックを併持するベルト挟持体７、並びに、懸架フック４が貫通出来る穴６を持つベルト挟持体５を設け、更に、該フック機構４と交差するフックの開放部を封鎖し、且つ、周辺部をベルト挟持体５の表面に接する構造に設定したフックカバー２を設けた機構構造を蝶番１０にて連結する事により携帯機器等の懸架装置を構成し、課題の要求条件を完全に解決させるものである。
【発明の効果】
【０００８】  本携帯品懸架装置は、ベルト挟持体の空間８にベルトをセットし、ベルト挟持体５をセットし、懸架フック４が挟持体５の穴６から突き出た条件状態で携帯品を懸架フック４に懸架する事によって、ベルト挟持体５と７は、ベルトを挟持した状態で該懸架物によりロックされた条件となる。
【０００９】  この条件に於いて、フックカバー２を所定の位置に閉じる事によって、フックカバーが構成している表面の傾斜により、例え、懸架物に対して、フック機構からの逸脱外力が加わったとしても該フックカバー３の部分の表面とフック４の内壁が交差して構成する楔形状によってフックカバー２自体とベルト挟持体５の表面に押し付ける外力に変換され完全に退路を閉鎖する現象が発生し、懸架物の懸架フックよりの逸脱を完全に阻止する事になる。
【００１０】  被懸架物を懸架装置から取り出すには、単純に該フックカバー２をレバー１にて引き上げ懸架フックより懸架物を取り出す事が出来る。
【発明を実施する為の最良の形態】
【００１１】  携帯品懸架装置は、可能な限り小型軽量を図り、且つ、操作の単純性を満足させる機構並びに、機構構造の適用を可能とする以下の図面に示す機構構造を推奨する。
【図面の簡単な説明】
【００１２】
【図１】装置の正面図を示す。
【図２】装置のＡ−Ａ断面図を示す。
【図３】装置の背面図を示す。
【符号の説明】
【００１３】  １  フックカバー開放レバー
２  ハンガーフックカバー
３  懸架物逸脱防止機構部
４  ハンガーフック
５  ベルト表面挟持機構
６  ハンガーフック通過穴切欠部
７  ハンガーフックを持つベルト挟持体
８  ベルト挟持空間
９  蝶番軸
１０  ハンガーフック開放部カバー開閉用蝶番機構
１１  蝶番軸固定部
１２  ベルト挟持体蝶番部
【図１】
2007236876.tif 000003
【図２】
2007236876.tif 000004
【図３】
2007236876.tif 000005
(57)【要約】      （修正有）【課題】胃瘻ガストロボタンの安全キャップの緩みによる胃液等の漏出防止に使用する、着脱が簡単で安価な漏出防止用固定テープを提供する。【解決手段】ガストロボタン６のカテーテルシャフト２が漏出防止用固定テープ１の中心の穴に入るように、切り欠きテーパー部８を案内として差込み、印字番号７に従い折り紙の要領でガストロボタン６を包み込んで着脱テープ４で止めれば、安全キャップ３が固定できて、患者が咽ぶ時や咳き込んだ時でも、胃液等の漏出が防止できる。【選択図】図１
2007236877.tif 000002
【特許請求の範囲】
【請求項１】
ガストロボタンを使用後に安全キャップを閉じて固定することで、胃液等の漏出を防止できるので、印字番号（符号７）に従い（図４）に示すように、ガストロボタンを包み込んで着脱テープで止めることを特徴とする漏出防止固定テープ。
【請求項２】
ガストロボタンのカテーテルシャフト（符号２）に、漏出防止用固定テープを差込、装着時に、中心の穴に案内する切り欠きテーパー部（符号８）で構成された請求項１記載の漏出防止用固定テープ。
【発明の詳細な説明】
【技術分野】
【０００１】  本発明は、胃瘻ガストロボタンの安全キャップからの胃液等の漏出防止に関するものである。
【背景技術】
【０００２】  胃瘻ガストロボタンは、安全キャップを開いて外部からカテーテルシャフトを通じて直接胃に栄養を注入する大切な必需品である。胃瘻ガストロボタンの交換は、一定期間使用後でないと消耗交換が保険の適用を受けられないため、使用経過と共に当該部分の劣化による胃液等の漏出が起きやすく、不便であった。
【特許文献１】特開２００５−１６８９８１
【発明の開示】
【発明が解決しようとする課題】
【０００３】  解決しようとする問題は、病院設備や医療技術の向上により、胃瘻ガストロボタンを使用する患者が増える中、患者が使用するガストロボタンの、消耗劣化による安全キャップの緩みによる胃液等が漏出すると、回りの着衣やベッドに付着して、患者自身や看護にあたる人に悪臭や嫌悪感を与えることになり、余分な気使いという煩わしさが生じる。【０００４】  直接栄養を胃に注入するための胃瘻ガストロボタンは、使用経過と共に安全キャップが消耗劣化して緩くなり、患者が咽ぶ動作をすると腹圧でボタン部が開くことがあり胃液等の漏出の原因となる。又当該部分から雑菌等の侵入の心配もあり、ガストロボタンの安全キャップを固定して開かなくすることで問題は解決できる。
【問題を解決するための手段】
【０００５】  本発明は、胃瘻ガストロボタンの安全キャップを固定、かつ着脱が容易なる構造として患者が咽ぶ時や咳をした時に、腹圧でガストロボタンの安全キャップが、開かないように通常は固定しておいて、看護等必要に応じて開く簡単な構造を特徴とする。
【発明の効果】
【０００６】  本発明は、増加する傾向にある胃瘻ガストロボタンを使用するに至った重大な疾患をもつ患者に、付き添い看病する家族が苦労とする胃液等の漏出の影響による患者の皮膚の爛れや、悪臭等がなくなるという効果がある。
【発明を実施するための最良の形態】
【０００７】  本発明は、胃瘻ガストロボタンの安全キャップが開かぬよう、簡単に固定と着脱が容易なる構造にして、汚れた漏出防止用固定テープは交換することで胃液等の漏出を心配することなく、常に胃瘻を清潔に保つことが容易にできることを実現した。
【実施例１】
【０００８】  漏出防止用固定テープ１の中心の穴に繋がる切り欠きテーパー部８を案内として、ガストロボタン６のカテーテルシャフト２を漏出防止用固定テープ１の中心の穴まで差込み、図３、図４、と印字番号７に従い折り紙の要領でガストロボタン６を包み込んで着脱テープ４で止めればしっかり固定、装着ができる。【０００９】  栄養剤、水分補給等でガストロボタン６を使用する時は、装着の反対動作をすれば誰にでも簡単に漏出防止用固定テープ１の着脱、交換ができるので練習等の必要がない。【００１０】  長時間の使用では衛生上の問題が、生じるのでこの漏出防止用固定テープ１は、安価な消耗品として、汚れたら交換をすればよい。
【産業上の利用の可能性】
【００１１】  胃瘻ガストロボタンを使用する患者や看護をする家族にとって、安全キャップ３の緩みによる胃液等の漏出は着衣やベッドが汚れ、悪臭等々良いことはひとつもなく、不快な耐え難い思いをしており本発明を利用すれば、在宅の治療消耗品として、又病院の常備消耗品としても利用の可能性を有する。
【図面の簡単な説明】
【００１２】
【図１】漏出防止用固定テープの実施方法を示した説明図である。
【図２】漏出防止用固定テープの実施方法を示した説明図である。
【図３】漏出防止用固定テープの実施方法を示した説明図である。
【図４】漏出防止用固定テープの実施方法を示した説明図である。（実施例１）
【符号の説明】
【００１３】  １    漏出防止用固定テープ
２    カテーテルシャフト
３    安全キャップ
４    着脱テープ
５    ドーム
６    ガストロボタン
７    印字番号
８    切り欠きテーパー部
【図１】
2007236877.tif 000003
【図２】
2007236877.tif 000004
【図３】
2007236877.tif 000005
【図４】
2007236877.tif 000006
(57)【要約】      （修正有）【課題】カッター刃の飛散と怪我の防止とクロスカットのぶれを無くし、切断を一定巾にすること。【解決手段】地ベラの握り柄を中空としカッターを片手で折刃口に差込みそのまま折って収納し、地ベラの刃先をＬ型の曲げカッター刃のぶれを無くしにぎり部に角度をつけ壁との接触をさけ切り口を一定した。【選択図】図１
2007236880.tif 000002
【特許請求の範囲】
【請求項１】
中空とした握り部に角度をつけ、折刃を収納し地ベラの刃先に角度をつけカッター刃が直角に入ることを特徴とした地ベラ。
【発明の詳細な説明】
【技術分類】
【０００１】本発明は内装工事のクロスカット地ベラに関する。
【背景技術】
【０００２】従来折るカッター刃は地ベラの柄の部分で右手にカッター左手で刃先を押えて折り、刃先を別の袋に入れるか、作業袋に収納していた。
しかし刃先が指に刺さったり床に飛散した刃先が足に刺さったりして危険であった。又、地ベラの刃先が１ｍｍ位の為カッター刃のブレがあったり握り部が壁に当り紙をカットする厚さに変化があり一定しなかった。
【発明の開示】
【発明が解決しようとする課題】
【０００３】カッター刃の飛散と怪我の防止とクロスカットのぶれを無くし切断を一定巾にする。
【課題を解決するための手段】
【０００４】そこで、地ベラの柄の握り部を中空とし、折ったカッター刃をそのまま収納するようにしブレ防止は地ベラの刃先をＬ型に曲げ握り部に角度をつけた。
【発明の効果】
【０００５】作業本人以外の怪我も無くし現場が安全になり、クロスカットのぶれが無くなり仕上げがきれいになった。
【図面の簡単な説明】
【０００６】  １．    角度付にぎり柄
２．    カッター折刃収納庫
３．    カッター折刃入口
４．    地ベラ曲がり防止板
５．    地ベラ刃金
６．    カッター刃のブレ防止
７．    カッター刃折台
【図１】
2007236880.tif 000003
【図２】
2007236880.tif 000004
【手続補正書】
【提出日】平成18年5月12日(2006.5.12)
【手続補正１】
【補正対象書類名】明細書
【補正対象項目名】全文
【補正方法】変更
【補正の内容】
【発明の詳細な説明】
【技術分類】
【０００１】  本発明は内装工事のクロスカット地ベラに関する。
【背景技術】
【０００２】従来折るカッター刃は地ベラの柄の部分で右手にカッター左手で刃先を押えて折り、刃先を別の袋に入れるか、作業袋に収納していた。
しかし刃先が指に刺さったり床に飛散した刃先が足に刺さったりして危険であった。又、地ベラの刃先が１ｍｍ位の為カッター刃のブレがあったり握り部が壁に当り紙をカットする厚さに変化があり一定しなかった。
【発明の開示】
【発明が解決しようとする課題】
【０００３】カッター刃の飛散と怪我の防止とクロスカットのぶれを無くし切断を一定巾にする。
【課題を解決するための手段】
【０００４】そこで、地ベラの柄の握り部を中空とし、折ったカッター刃をそのまま収納するようにしブレ防止は地ベラの刃先をＬ型に曲げ握り部に角度をつけた。
【発明の効果】
【０００５】作業本人以外の怪我も無くし現場が安全になり、クロスカットのぶれが無くなり仕上げがきれいになった。
【図面の簡単な説明】
【０００６】
【図１】  斜視図
【図２】  平面図
【符号の説明】
【０００７】１．    角度付にぎり柄
２．    カッター折刃収納庫
３．    カッター折刃入口
４．    地ベラ曲がり防止板
５．    地ベラ刃金
６．    カッター刃のブレ防止
７．    カッター刃折台
(57)【要約】      （修正有）【課題】従来の歯ブラシは、歯磨き機能はあるがマッサージ機能は二次的効果しかないことから、マッサージ効果を発揮する歯ブラシを提供する。【解決手段】歯ブラシの毛先の形状をアールを付ける事によって、歯茎のマッサ−ジを効果的にすることができる。【選択図】図１
2007236889.tif 000002
【特許請求の範囲】
【請求項１】
歯茎をマッサ−ジする専用歯ブラシ。
【発明の詳細な説明】
【発明の詳細な説明】
【技術分野】
【０００１】本発明は、歯磨き時の歯ブラシに歯茎マッサ−ジ専用の機能を持たせたものである。
歯ブラシの毛先にア−ルを付けて歯茎を傷つけずにマッサ−ジ専用とするものである。
よって、歯磨きの機能は基本的に無いものとする。
【背景技術】
【０００２】従来のハブラシは歯磨きの機能を優先し二次的効果として歯茎のマッサ−ジを付加している。
【発明が解決しようとする課題】
【０００３】歯ブラシは、歯磨き機能はあるがマッサ−ジ機能は二次的効果しかなく、マッサ−ジ効果を最大限に発揮しようとするものである。
【課題を解決する為の手段】
【０００４】上記課題を解決する為に、本発明における歯茎マッサ−ジ用歯ブラシは、毛先にア−ルをつけて直接歯茎に当っても傷つけることがなく、従来の歯ブラシと比較するとマッサ−ジ効果は抜群である。
【０００５】また、歯茎マッサ−ジ用歯ブラシの材質は通常の歯ブラシの材質と同じである。
【発明を実施するための最良の形態】
【０００６】（イ）歯茎マッサ−ジ用歯ブラシは毛先を曲げてア−ルを作るようにする。
（ロ）毛先以外の部品等（取っ手）は従来の歯ブラシとかわりない。
【発明の効果】
【０００７】本発明は、上記のとおりに構成されているので次の効果を奏する。
【０００８】請求項１については、歯茎をマッサ−ジする専用の歯ブラシである。
［図１］と
［図２］
歯茎マッサ−ジ用歯ブラシの形状例である。
【図１】
2007236889.tif 000003
【図２】
2007236889.tif 000004
【手続補正書】
【提出日】平成19年4月19日(2007.4.19)
【手続補正１】
【補正対象書類名】明細書
【補正対象項目名】全文
【補正方法】変更
【補正の内容】
【発明の詳細な説明】
【発明の詳細な説明】
【技術分野】
【０００１】本発明は、歯磨き時の歯ブラシに歯茎マッサージ専用の機能を持たせたものである。歯ブラシの毛先にアールを付けて歯茎を傷つけずにマッサージ専用とするものである。よって、歯磨きの機能は基本的に無いものとする。
【背景技術】
【０００２】従来のハブラシは歯磨きの機能を優先し二次的効果として歯茎のマッサージを付加している。
【発明が解決しようとする課題】
【０００３】歯ブラシは、歯磨き機能はあるがマッサージ機能は二次的効果しかなく、マッサージ効果を最大限に発揮しようとするものである。
【課題を解決する為の手段】
【０００４】上記課題を解決する為に、本発明における歯茎マッサージ用歯ブラシは、毛先にアールをつけて直接歯茎に当っても傷つけることがなく、従来の歯ブラシと比較するとマッサージ効果は抜群である。
【０００５】また、歯茎マッサージ用歯ブラシの材質は通常の歯ブラシの材質と同じである。
【発明を実施するための最良の形態】
【０００６】（イ）歯茎マッサージ用歯ブラシは毛先を曲げてアールを作るようにする。（ロ）毛先以外の部品等（取っ手）は従来の歯ブラシとかわりない。
【発明の効果】
【０００７】本発明は、上記のとおりに構成されているので次の効果を奏する。
【０００８】請求項１については、歯茎をマッサージする専用の歯ブラシである。
【図面の簡単な説明】
【０００９】
【図１】歯ブラシの毛を埋め込んで完成したときの形態である。
【図２】歯ブラシの毛の一本の埋め込み要領をあらわしている。一本の毛を二つに折り曲げてアールをつけて一穴に埋め込む。
(57)【要約】【課題】パチンコ玉などの表面に付着したタバコのヤニ、人の脂や汗などの不快物を簡易に清浄することができる遊戯用玉またはメダルを提供することを課題とする。【解決手段】大気中の酸素または水分と反応して酸化チタンを形成する原料とキャリアガスとの混合物および酸化チタン微粒子とを、加熱した基材表面に大気開放下で吹きつけて形成した酸化チタン層をコーティングした遊戯用玉またはメダル。【選択図】図１
2007236883.tif 000002
【特許請求の範囲】
【請求項１】
大気中の酸素または水分と反応して酸化チタンを形成する原料とキャリアガスとの混合物および酸化チタン微粒子とを、基材表面に大気開放下で吹きつけて形成した酸化チタン層をコーティングした遊技場用メダルまたは玉。
【発明の詳細な説明】
【技術分野】
【０００１】  本発明は、汚れにくい遊技場用メダルまたは玉に関するものである。
【背景技術】
【０００２】  遊技場用メダルまたは玉は、室内の煙草の煙や人間の脂、汗などにより汚れてしまう。このように汚れたメダルやパチンコ玉は、客に不快感を与えるばかりでなく、不衛生である。【０００３】  パチンコ玉の汚れを除去するため、パチンコ玉本体の表面に、光触媒機能を有する材料を設けたことを特徴とするパチンコ玉が提案されている（特許文献１）。
しかし、パチンコ玉本体の表面に、光触媒機能を有する材料を設ける方法としてはアンダーコートとしてプライマーをスプレー塗布、乾燥後光触媒機能を有する材料をスプレー塗布して乾燥する方法が示されているにすぎない。このような方法では、アンダーコート処理、乾燥、スプレー塗布、乾燥という多段階処理のため複雑であるばかりでなく、塗布された光触媒機能を有する材料は剥がれやすい欠点を有する。
また、遊技場用メダルに対しては、表面に光触媒機能を有する材料を設けることは知られていない。【０００４】  一方、大気開放型ＣＶＤ法において、気化させた酸化物膜の原料とキャリアガスの混合物、および加熱された酸化物微粒子をあらかじめ衝突させて、酸化物膜の分解酸化を進めながら、酸化物微粒子と共に基材表面に吹き付けることにより基材表面に吹きつけることにより基材表面に酸化物膜を形成する方法が提案されている（特許文献２）。しかし、このような方法で形成させた酸化物膜は光触媒機能を有するかは不明であり、パチンコ玉などの表面にコーティングするような発想はなかった。
【特許文献１】特開２０００−３７５５５号公報
【特許文献２】特開２００４−２２５１２３号公報
【発明の開示】
【発明が解決しようとする課題】
【０００５】  本発明は、パチンコ玉などの表面に付着したタバコのヤニ、人の脂や汗などの不快物を簡易に清浄することができる遊戯用玉またはメダルを提供することを課題とする。
【課題を解決するための手段】
【０００６】  請求項１記載の遊技場用メダルまたは玉は、大気中の酸素または水分と反応して酸化チタンを形成する原料とキャリアガスとの混合物および酸化チタン微粒子とを、基材表面に大気開放下で吹きつけて形成した酸化チタン層をコーティングした遊技場用メダルまたは玉である。
【発明の効果】
【０００７】  本発明の遊技場用メダルまたは玉は、特に紫外線のような光を照射すると表面に付着したタバコのヤニ、人の脂や汗などが分解するため、簡易に清浄することができる。
【発明を実施するための最良の形態】
【０００８】  本発明の遊技場用メダルまたは玉とは、ゲームセンターのゲーム機に用いられるメダルやパチンコホールのパチンコに用いられるパチンコ玉などであり、その形状は真球、真円である必要はない。ただし、人間が手で触れるものを対象としている。【０００９】    本発明の遊技場用メダルまたは玉の材質は、一般に鉄、アルミニウム、アルミニウム合金などの金属であるが、セラミックスやプラスチックであってもよい。また、表面に亜鉛−ニッケルメッキ、亜鉛−銅−ニッケルメッキ、亜鉛−クロム・ニッケルメッキなどのメッキ層や真空プラズマ熔着などによりチタンなどの金属層が設けられていてもよい。【００１０】  セラミックスとしては、アルミナ、シリカ−アルミナなどが挙げられ、プラスチックとしては、熱硬化性樹脂や熱可塑性樹脂が挙げられる。通常のＣＶＤでは基材の温度を高温にすることが必要なため、熱可塑性樹脂などは対象にならないが、本発明の大気開放型ＣＶＤでは基材温度を低温でも処理可能のため熱可塑性樹脂も使用できる。【００１１】  本発明の酸化チタン層をコーティングした遊技場用メダルまたは玉に設けられる層は、酸化チタンである。大気開放型ＣＶＤによれば酸化チタン、酸化亜鉛、酸化マグネシウム、酸化イットリウムなどの金属酸化物を基材表面に設けることができるが、光触媒機能を発揮させるためには酸化チタンがよい。【００１２】  本発明の酸化チタン形成方法では、大気中の酸素または水分と反応して酸化チタンを形成する原料とキャリアガスとの混合物および酸化チタン微粒子とを、基材表面に大気開放下で吹きつけることが必要である。【００１３】  大気中の酸素または水分と反応して酸化チタンを形成する原料としては、アルキルチタン、アルケニルチタン、フェニルチタン、ハロゲン化チタン、チタンジピバロイルメタン錯体、チタンアセチルアセトン錯体、チタンＥＤＴＡ錯体などが挙げられる。【００１４】  キャリアガスとしては、窒素、アルゴンなどの不活性ガス、炭酸ガス、有機フッソ系ガスなどのほか、ヘキサンなどの有機物でもよいが、特に窒素が好適である。大気中の酸素または水分と反応して酸化チタンを形成する原料とキャリアガスとの混合比率は特に制限はない。【００１５】  酸化チタン微粒子は酸化チタン層の核となるものであり、微粒子として供給してもよいが、大気中の酸素または水分と反応して酸化チタンを形成する原料をミスト状にしてキャリアガスと共に反応装置に供給し、酸素ガスと高温で反応させて反応装置内で直接合成することが好ましい。【００１６】  基材表面は、室温〜２００℃程度まで加熱したほうが好ましいが、室温でも処理は可能である。基材表面を高温にする必要がないので、基材の選定範囲を広げることができる。
【実施例】
【００１７】  以下、実施例に基づいて、本発明を詳細に説明する。【００１８】  （実施例１）
直径３０ｍｍのアルミニウム板を基材として、１μｍ厚さの酸化チタン層を形成し、光触媒効果を測定した。酸化チタン層を形成したアルミ円板１２枚を３リットルのテドラーバックに８５ｐｐｍのアセトアルデヒドと共に封入し、室温で３６０ｎｍの紫外線を当て、３０分経過後のアセトアルデヒド濃度を測定したところ、ほとんど検知しなかった。【００１９】  （比較例１）
酸化チタン層を設けなかった以外は実施例１と同様な操作を行った。３０分経過後のアセトアルデヒド濃度は封入時と同じであった。
【産業上の利用可能性】
【００２０】  本発明により、娯楽分野において、清潔な遊技場用メダルまたは玉を提供することができる。また、本発明の遊技場用メダルまたは玉は遊技場のみならず、その光触媒機能を利用して排水中の有機物分解などにも利用できる。
【図面の簡単な説明】
【００２１】
【図１】本発明のメダルの外観および断面を示す図である。
【符号の説明】
【００２２】  １    酸化チタン層
２    メダルの基材
【図１】
2007236883.tif 000003
(57)【要約】【課題】  現在、カーテンを作る時ランナーの数、布の巾に依り、窓に合せる為の複雑な計算にそってミシンで縫うなど複雑な作業が必要になるため、自分が気に入ったカーテンを手にいれられない。【解決手段】  カーテンランナーに布を挟む物を取りつける事に依り、自分の気に入った布にカーテンランナーを適当に挟めばハンカチやスカーフでもその場でカーテンがすぐ出来る。その上、挟むランナーにデザインが色々有れば、ロマンチックな花、子供の好きな動物とかカーテンの飾りにもなり楽しくなる。又、カーテンが掛っていない時も従来のランナーだけよりも見苦しくない。【選択図】図２
2007236887.tif 000002
【特許請求の範囲】
【請求項１】
カーテンレールのランナーに布を挟む用具を取りつけた。
【請求項２】
カーテンレールのランナーに挟む部分を取りつけ一体化し、尚且つデザイン性を取り入れた。
【請求項３】
カーテンのない時もインテリアとして使える様に花シリーズ、動物シリーズ、キャラクター等が見える様にした。
【請求項４】
ランナーと挟む部分の中心に透明ビーズ等を入れるデザインや挟む部分をランナーに引っ掛けるデザインにすれば従来のランナーもつかえる。
【発明の詳細な説明】
【技術分野】
【０００１】本発明はカーテンランナーに挟む用具を取りつけた。【０００２】挟む用具を取りつける事に依り、挟むだけなので誰でも簡単に好きな布で自分だけのカーテンが出来る。
【技術背景】
【０００３】現在のカーテンは、レールの巾とランナーの巾とで複雑な計算が必要である。
【０００４】その上計算通りにギャザーやタックを、ミシンで縫わなくてはいけない。
【０００５】その縫ったタックの中に金具を差し込み、カーテンレールについているランナーに差し込む。
【０００６】カーテンを開け閉めして使用しているうちに金具が開きカーテンに引っかかり、カーテンが開けにくくなり時には金具で破けてしまう。
【発明の開示】
【発明が解決しようとする課題】
【０００７】カーテンを取りつける時、カーテンにする布を窓の巾とランナーの数で、タックの巾を決めるという複雑な計算が必要でなくなる【０００８】又、計算にそってギャザーなりタックなりを縫わなければならない。その為の手間がいらなくなる。【０００９】又、カーテンのタックに金具を取りつける必要がなくなる。
【課題を解決するための手段】
【００１０】従来のカーテンランナーに布を挟む部分を取りつけたため、好きな布に挟めばすぐ自分だけのカーテンが出来上がる。
【発明の効果】
【００１１】カーテンを作りたい布をランナーに付いている挟む金具に、窓の巾に合せ、適当に挟むだけでカーテンが出来上がる。【００１２】そのため、専門家に依頼しなくても自分で好きな布で自分だけのカーテンがすぐ出来る。【００１３】それ故、スカーフやハンカチでも素敵なカーテンが出来上がる。
【発明を実施するための最良の形態】
【００１４】カーテンランナーに布を挟む部分を取りつけ一体化する事により簡単にカーテンが出来上がる。
【実施例１】
【００１５】図１は、１カーテンランナーと２挟む部分で出来ている。【００１６】図２の３は、鋭いトゲの様な物で布を止める。【００１７】図３は、挟む部分をデザイン化した。【００１８】図４は、５の部分を鉤の型にしカーテンランナーに引っ掛けるデザインにした。【００１９】図５の６は、カーテンレール、７は、カーテンを挟むカーテンランナーで布を挟んだ図である。
【図面の簡単な説明】
【００２０】
【図１】挟むカーテンランナーを前から見た図である。
【図２】挟むカーテンランナーを横から見た図である。
【図３】挟むランナーをデザイン化したものである。
【図４】挟む部分を鉤でランナーにつけられる様にした図である。
【図５】カーテンを挟むランナーで止め、窓につけた図である。
【符号の説明】
【００２１】１  カーテンランナー部分
２  挟む部分
３  布を挟む歯
４  デザイン
５  鉤
６  カーテンレール
７  挟むランナー
８  カーテン
【図１】
2007236887.tif 000003
【図２】
2007236887.tif 000004
【図３】
2007236887.tif 000005
【図４】
2007236887.tif 000006
【図５】
2007236887.tif 000007
(57)【要約】【課題】擦り傷、切り傷、さし傷などに用いる救急絆創膏の形状は、使用後先端が分かり難く、特に指先に使用した時は救急絆創膏先端が救急絆創膏の上になるため先が分からない。【解決手段】救急絆創膏１の長方向の先端部は粘着剤を塗布しない。使用後簡単に先端が分かりはがせる。【選択図】図１
2007236888.tif 000002
【特許請求の範囲】
【請求項１】
救急絆創膏の長方向先端一部の粘着剤を付けないことを特徴とする救急絆創膏。
【発明の詳細な説明】
【技術分野】
【０００１】  この発明は、救急絆創膏に関する。
【背景技術】
【０００２】  従来の救急絆創膏は、図２に示すように、消毒ガーゼ以外は粘着剤が塗布されているものである。
【発明の開示】
【発明が解決しようとする課題】
【０００３】しかしながら、以上の技術によれば、伸縮性にもすぐれ、どんな部分にもピッタリ貼れ、半透明で目立たないので使用後取り去る時は端が分かり辛く、はがし難かった。
そこで、この発明は、使用後にはがし易さを提供することを課題とする。
【課題を解決するための手段】
【０００４】  以上の課題を解決するために、第一発明は、使用後にはがし易いことを特徴とする救急絆創膏である。
また、第二発明は、両端救急絆創膏の数ミリ塗布されていないことを特徴とする救急絆創膏である。
【発明の効果】
【０００５】  第一発明、または第二発明によれば、救急絆創膏の両端部の粘着剤が無いので巻く方向に関係なくはがし易い。
【発明を実施するための最良の形態】
【０００６】  この発明の一実施形態を、図１に示す。
救急絆創膏本休１の両端部内面は、粘着剤が塗布されていない。
「実施形態の効果」【０００７】  この実施形態によれば、使用後のはがす時端が簡単に分かる為、はがし難さとイライラが無くなる。
【図面の簡単な説明】
【０００８】
【図１】この発明の一実施形態を示す斜視図である。
【符号の説明】
【０００９】      １  救急絆創膏
２  消毒ガーゼ
３  粘着剤
【図１】
2007236888.tif 000003
【図２】
2007236888.tif 000004
【手続補正書】
【提出日】平成18年5月2日(2006.5.2)
【手続補正１】
【補正対象書類名】明細書
【補正対象項目名】０００８
【補正方法】変更
【補正の内容】
【０００８】
【図１】この発明の一実施形態を示す斜視図である。
【図２】従来からの救急絆創膏の形態を示す斜視図である。
(57)【要約】【課題】長靴を水洗いした後、濡れた長靴内部の乾きの時間を早くするための長靴逆吊り具を提供する。【解決手段】  長靴の足首部分、爪先よりと踵よりを形とった枠を設け、枠の爪先にあたる部分に開口部を設け、枠の爪先よりと踵よりの両側対称に丸かんを１個ずつ設け、各丸かんに鎖１本を設けて、爪先よりの鎖２本より踵よりの鎖２本を少し長めに設け、各他方の鎖の端を鉤の下の部分に設けたことを特徴とする長靴逆吊り干し具。【選択図】図１
2007236890.tif 000002
【特許請求の範囲】
【請求項１】
長靴の足首部分、爪先よりと踵よりを形とった枠を設け、枠の爪先にあたる部分に開口部を設け、枠の爪先よりと踵よりの両側対称に丸かんを１個ずつ設け、各丸かんに鎖１本を設け、他方の各鎖の端を鉤の下の部分に設けたことを特徴とする長靴逆吊り干し具。
【請求項２】
長靴の足首部分、爪先より踵よりを形とった枠の爪先よりの鎖２本より、踵よりの鎖２本を少し長めに設けることを特徴とする請求項１の長靴逆吊り干し具。
【発明の詳細な説明】
【技術分野】
【０００１】  本発明は、長靴を水洗いした後の長靴内部の乾きの時間を早くするための長靴逆吊り干し具に関するものである。
【背景技術】
【０００２】  従来は、長靴を水洗いした後、そのまま立てて干して乾かしていた。
【発明の開示】
【発明が解決しようとする課題】
【０００３】  そのために、次のような問題点があった。
（イ）長靴底の内部に水滴が溜まり、通気がよくなく内部の乾きに時間がかかった。
（ロ）長靴底を上にして手すりや壁などに立てかけて干していたが、不安定のためよく倒      れ、長靴を干す場所に困った。
本発明は、以上の問題点を解決するためになされたものである。
【課題を解決するための手段】
【０００４】  長靴の足首部分、爪先よりと踵よりを形とった枠を設け、枠の爪先にあたる部分に開口部を設け、枠の爪先よりと踵よりの両側対称に丸かんを１個ずつ設け、各丸かんに鎖１本を設け、他方の各鎖の端を鉤の下の部分に設けたことを特徴とする長靴逆吊り干し具。
【発明の効果】
【０００５】  本発明は、長靴を水洗いした後、長靴底を上にして吊るし干すため、長靴内部に水滴が溜まらず、乾く時間が早くなった。又、物干し竿などに簡単に吊るし干すことができ、干す場所に困ることがなくなった。
【発明を実施するための最良の形態】
【０００６】  以下、本発明の実施の形態を説明する。
（イ）長靴の足首部分、爪先よりと踵よりを形とった枠（１）の爪先（４）にあたる部分      に長靴の踵の上の足首から挿入する開口部（２）を設ける。
（ロ）長靴の足首部分、爪先よりと踵よりを形とった枠（１）の爪先よりと踵よりの両側      対称に丸かん（６）を１個ずつ設ける。
（ハ）各丸かん（６）に鎖（７）１本を設けて各他方の鎖（７）の端を鉤（８）の下の部      分に設ける。
（ニ）長靴の足首部分に挿入する開口部（２）の両側の枠に弾力性をもたせ、開口部の各      先端（３）を両側に開き、長靴の足首部分に挿入しやすいように設ける。
（ホ）長靴の足首部分、爪先よりと踵よりを形とった枠（１）の爪先（４）よりの鎖（７      ）２本より踵よりの鎖（７）２本を少し長めに設ける。
本発明は、以上の構成よりなっている。
本発明を使用するときは、長靴を水洗いした後、長靴の足首部分、爪先よりと踵よりを形とった枠（１）の開口部（２）の開口部の各先端（３）を長靴の踵の上の足首部分にあて、片方の手で長靴の踵の上の足首部分をにぎり、一方の手で長靴の足首部分、爪先よりと踵よりを形とった枠（１）を挿入し、開口部（２）を長靴の爪先よりに出す。長靴底を上にして吊るすため長靴の足首部分、爪先よりと踵よりを形とった枠（１）が長靴の底の部分にかかり、鎖（７）で長靴の底の部分をおさえるため長靴は安定する。又、爪先（４）よりの鎖（７）２本より踵（５）よりの鎖（７）２本を少し長めに設けてあるので、長靴底を上にして吊るしたとき長靴の爪先部分が上に踵部分が下になるため水滴が長靴内部の爪先にたまることなく、鉤を物干し竿などにかけて長靴底を上にして逆吊り干しする。
【図面の簡単な説明】
【０００７】
【図１】  本発明の平面図
【図２】  本発明の使用状態を示す斜視図
【図３】  本発明の他の実施例を示す斜視図
【符号の説明】
【０００８】    １  長靴の足首部分、爪先よりと踵よりを形とった枠
２  開口部
３  開口部の各先端
４  爪先
５  踵
６  丸かん
７  鎖
８  鉤
【図１】
2007236890.tif 000003
【図２】
2007236890.tif 000004
【図３】
2007236890.tif 000005